(57)【要約】【課題】無駄な電力を消費するのを効果的に防止することができる原稿読取装置を提供する。【解決手段】セット位置に置かれている原稿の読取後に、所定時間が経過してもセット位置に原稿が置かれていると判断される場合に（ステップＳ２０４でＹｅｓ）、原稿読取装置の電力状態が省エネルギーモードに切り替えられる。したがって、原稿の読取後に当該原稿をユーザが取り忘れた場合であっても、計時結果に基づいて原稿読取装置の電力状態が省エネルギーモードに切り替えられることにより、ユーザが原稿の取り忘れに気付くまでの間、無駄な電力を消費するのを防止することができる。【選択図】  図５
2012138805.tif 000002
【特許請求の範囲】
【請求項１】
電力状態を省エネルギーモードに切り替えることが可能な原稿読取装置であって、
セット位置に原稿が置かれているか否かを判定する原稿判定部と、
前記セット位置に置かれている原稿の読取が行なわれたか否かを判定する読取判定部と、
前記原稿判定部により前記セット位置に原稿が置かれていると判断されているときに計時を行なうタイマ部と、
前記読取判定部による判定結果、及び、前記タイマ部による計時結果に基づいて、前記セット位置に置かれている原稿の読取後に、所定時間が経過しても前記原稿判定部により前記セット位置に原稿が置かれていると判断される場合に、前記原稿読取装置の電力状態を前記省エネルギーモードに切り替える電力切替部とを備えることを特徴とする原稿読取装置。
【請求項２】
前記セット位置に置かれている原稿を押さえるために開閉される開閉カバーと、
前記開閉カバーの開閉状態を検知するための開閉センサとを備え、
前記原稿判定部は、前記セット位置に置かれている原稿の読取後に、前記開閉センサにより前記開閉カバーの開状態が検知されるか否かに基づいて、前記セット位置に原稿が置かれているか否かを判定し、
前記電力切替部は、前記セット位置に置かれている原稿の読取後に、前記所定時間が経過しても前記開閉センサにより前記開閉カバーの開状態が検知されない場合に、前記原稿読取装置の電力状態を前記省エネルギーモードに切り替えることを特徴とする請求項１に記載の原稿読取装置。
【請求項３】
前記電力切替部は、前記セット位置に置かれている原稿の読取後に、前記原稿判定部により前記セット位置に置かれている原稿が取り除かれたと判断される場合に、前記原稿読取装置の電力状態を前記省エネルギーモードに切り替えることを特徴とする請求項１又は２に記載の原稿読取装置。
【請求項４】
前記電力切替部は、前記原稿判定部により前記セット位置に原稿が置かれていると判断される場合であっても、当該セット位置に置かれている原稿の読取が行なわれない場合には、前記原稿読取装置の電力状態を前記省エネルギーモードに切り替えないことを特徴とする請求項１〜３のいずれかに記載の原稿読取装置。
【発明の詳細な説明】
【技術分野】
【０００１】
本発明は、電力状態を省エネルギーモードに切り替えることが可能な原稿読取装置に関するものである。
【背景技術】
【０００２】
例えばユーザによる操作が行なわれてから所定時間が経過した場合などに、消費電力が比較的少ない省エネルギーモードに電力状態を切り替えることにより、無駄な電力を消費するのを防止することができるような構成が知られている。このような構成は、原稿読取装置を備えた複写機又は複合機などにも採用される場合がある。
【０００３】
原稿読取装置の中には、セット位置に原稿が置かれているか否かを判定することができるものがある（例えば、特許文献１参照）。この特許文献１の例では、コンタクトガラス上に原稿があるか否かを判断し、原稿がないと判断したときには予熱モードに入るが、原稿があると判断したときには予熱モードに入らないように構成されている（段落［００２１］及び［図４］参照）。このように、コンタクトガラス上に原稿がある場合、すなわちセット位置に原稿が置かれている場合には、その後にユーザが当該原稿の読取動作を開始させる可能性があるため、省エネルギーモード（この例では「予熱モード」）には切り替えられないようになっている。
【先行技術文献】
【特許文献】
【０００４】
【特許文献１】特開平５−１０７８５４号公報
【発明の概要】
【発明が解決しようとする課題】
【０００５】
しかしながら、上記のようにセット位置に原稿が置かれているときであっても、その後に当該原稿の読取動作を行なうのではなく、原稿の読取後に当該原稿を単に取り忘れただけである場合がある。このような場合には、ユーザが原稿の取り忘れに気付くまでの間、長時間にわたって省エネルギーモードに切り替えられない状態が続き、無駄な電力を消費してしまうという問題があった。
【０００６】
本発明は上記実情に鑑みてなされたものであり、無駄な電力を消費するのを効果的に防止することができる原稿読取装置を提供することを目的とする。
【課題を解決するための手段】
【０００７】
本発明に係る原稿読取装置は、電力状態を省エネルギーモードに切り替えることが可能な原稿読取装置であって、セット位置に原稿が置かれているか否かを判定する原稿判定部と、前記セット位置に置かれている原稿の読取が行なわれたか否かを判定する読取判定部と、前記原稿判定部により前記セット位置に原稿が置かれていると判断されているときに計時を行なうタイマ部と、前記読取判定部による判定結果、及び、前記タイマ部による計時結果に基づいて、前記セット位置に置かれている原稿の読取後に、所定時間が経過しても前記原稿判定部により前記セット位置に原稿が置かれていると判断される場合に、前記原稿読取装置の電力状態を前記省エネルギーモードに切り替える電力切替部とを備えることを特徴とする。
【０００８】
このような構成によれば、セット位置に置かれている原稿の読取後に、所定時間が経過してもセット位置に原稿が置かれていると判断される場合に、原稿読取装置の電力状態が省エネルギーモードに切り替えられる。したがって、原稿の読取後に当該原稿をユーザが取り忘れた場合であっても、計時結果に基づいて原稿読取装置の電力状態が省エネルギーモードに切り替えられることにより、ユーザが原稿の取り忘れに気付くまでの間、無駄な電力を消費するのを防止することができる。
【０００９】
前記セット位置に置かれている原稿を押さえるために開閉される開閉カバーと、前記開閉カバーの開閉状態を検知するための開閉センサとを備え、前記原稿判定部は、前記セット位置に置かれている原稿の読取後に、前記開閉センサにより前記開閉カバーの開状態が検知されるか否かに基づいて、前記セット位置に原稿が置かれているか否かを判定し、前記電力切替部は、前記セット位置に置かれている原稿の読取後に、前記所定時間が経過しても前記開閉センサにより前記開閉カバーの開状態が検知されない場合に、前記原稿読取装置の電力状態を前記省エネルギーモードに切り替えることが好ましい。
【００１０】
このような構成によれば、セット位置に置かれている原稿の読取後に、開閉センサにより開閉カバーの開状態が検知されるか否かに基づいて、セット位置に原稿が置かれているか否かを判定することができる。したがって、セット位置に原稿が置かれているか否かを簡単な構成で判定することができ、その判定結果に基づいて原稿読取装置の電力状態を省エネルギーモードに良好に切り替えることができる。
【００１１】
前記電力切替部は、前記セット位置に置かれている原稿の読取後に、前記原稿判定部により前記セット位置に置かれている原稿が取り除かれたと判断される場合に、前記原稿読取装置の電力状態を前記省エネルギーモードに切り替えることが好ましい。
【００１２】
このような構成によれば、セット位置に置かれている原稿の読取後に、セット位置に置かれている原稿が取り除かれたと判断される場合には、所定時間が経過する前であっても原稿読取装置の電力状態が省エネルギーモードに切り替えられる。したがって、セット位置に置かれている原稿が取り除かれた後に無駄な電力を消費するのを防止することができる。
【００１３】
前記電力切替部は、前記原稿判定部により前記セット位置に原稿が置かれていると判断される場合であっても、当該セット位置に置かれている原稿の読取が行なわれない場合には、前記原稿読取装置の電力状態を前記省エネルギーモードに切り替えないことが好ましい。
【００１４】
このような構成によれば、セット位置に原稿が置かれていると判断される場合であっても、当該原稿の読取前には、省エネルギーモードに切り替えられることがない。したがって、これから原稿の読取を行なおうとしているときに、誤って省エネルギーモードに切り替えられるのを防止することができる。
【図面の簡単な説明】
【００１５】
【図１】本発明の一実施形態に係る原稿読取装置を備えた画像形成装置の内部構成を示す概略断面図である。
【図２】画像形成装置の電気的構成を示したブロック図である。
【図３】ＣＰＵの具体的構成を示した機能ブロック図である。
【図４】画像形成装置の電力状態を待機モードから第１省エネルギーモードに切り替える際のＣＰＵによる処理の一例を示したフローチャートである。
【図５】原稿の取り忘れを判定する際のＣＰＵによる処理の一例を示したフローチャートである。
【発明を実施するための形態】
【００１６】
図１は、本発明の一実施形態に係る原稿読取装置を備えた画像形成装置１の内部構成を示す概略断面図である。本実施形態では、原稿読取装置の一例として、当該原稿読取装置が画像形成装置１に備えられた構成について説明するが、例えばスキャナ装置又はファクシミリ装置などの他の装置により原稿読取装置が構成されていてもよい。また、以下に説明する画像形成装置１の具体的構成についても、その構成に限定されるものではない。
【００１７】
本実施形態における画像形成装置１は、例えば、原稿搬送装置２により自動的に供給される原稿の画像を画像読取部３で１枚ずつ読み取り、その原稿の画像データに基づいて記録紙Ｐに画像を形成する複写機である。当該画像形成装置１には、筺体１ａ内に、上記画像読取部３の他、画像形成部４及び給紙部５などが備えられており、当該筺体１ａの上面に原稿搬送装置２が設けられている。
【００１８】
原稿搬送装置２は、原稿トレイ２ａを備えており、当該原稿トレイ２ａ上に原稿をセットすることができるようになっている。原稿搬送装置２は、ピックアップローラ２ｂ及び分離手段（分離ローラとリタードローラの対）２ｃにより、原稿トレイ２ａ上にセットされた原稿を１枚ずつ送り出す。送り出された原稿は、複数の搬送ローラ２ｄ、２ｅ、２ｆにより原稿搬送路２ｇを搬送され、当該原稿搬送路２ｇの途中に位置する読取位置２ｋにおいて、画像読取部３により画像が読み取られる。画像が読み取られた後の原稿は、排出ローラ２ｈにより原稿排出トレイ２ｉ上に順次排出される。
【００１９】
画像読取部３には、ＣＣＤ(Charge Coupled Devices)が設けられている。画像読取部３は、静止した状態で読取位置２ｋに光を照射し、原稿からの反射光をＣＣＤで受光することによって、原稿搬送装置２により搬送される原稿を読み取ることができる。また、画像読取部３は、主走査方向に直交する水平方向（副走査方向）に光源を移動させながらガラス板３ｄ上に置かれた原稿に光を照射し、原稿からの反射光をＣＣＤで受光することによって、原稿を読み取ることもできる。
【００２０】
原稿搬送装置２により１枚ずつ搬送される原稿を読取位置２ｋで読み取る場合には、ＣＣＤで原稿からの反射光を受光することにより主走査が行われるとともに、読取位置２ｋを原稿が搬送されることにより副走査が行われる。一方、ガラス板３ｄに置かれた原稿を読み取る場合には、ＣＣＤで原稿からの反射光を受光することにより主走査が行われるとともに、光源が副走査方向に移動することにより副走査が行われる。
【００２１】
上記ガラス板３ｄは、筺体１ａの上面に形成されており、原稿搬送装置２は、筺体１ａの上面に対して上下に開閉可能に取り付けられている。したがって、ガラス板３ｄ上に置かれた原稿を画像読取部３で読み取る場合には、原稿搬送装置２を閉じることにより、当該原稿搬送装置２とガラス板３ｄとの間に原稿を挟むことができるようになっている。すなわち、原稿搬送装置２は、ガラス板３ｄ上のセット位置に置かれている原稿を押さえるために開閉される開閉カバー１０を構成している。ただし、開閉カバー１０は、原稿搬送装置２により構成されるものに限らず、開閉可能な他のあらゆるカバーを採用することができる。
【００２２】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、画像読取部３で読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２３】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２４】
給紙部５は、記録紙Ｐを収容するための給紙カセット６を備えており、この給紙カセット６内に設けられた支持板９上に、記録紙Ｐを積層した状態で収容することができるようになっている。支持板９は、その第１端部における軸線９ａを中心に回転可能となっており、第１端部とは反対側の第２端部が圧縮ばね９ｂによって上方へ付勢されることにより、最上部の記録紙Ｐが給紙ローラ２１に対して押圧される。給紙ローラ２１に対向する位置には、例えば摩擦部材としての分離パッド（図示せず）が配置されており、給紙ローラ２１が回転駆動されることにより給紙カセット６内から送り出される記録紙Ｐは、上記分離パッドの作用により、記録紙搬送路１２に１枚ずつ送り出される。
【００２５】
記録紙搬送路１２には、１つ又は複数の搬送ローラ１３が設けられている。給紙カセット６から１枚ずつ送り出される記録紙Ｐは、搬送ローラ１３により記録紙搬送路１２内を搬送され、画像形成部４へと送られる。そしてレジストローラ１４により、記録紙Ｐは感光体ドラム４ａの直前で一旦停止され、感光体ドラム４ａに形成されるトナー像を転写させるタイミングに合わせて送り出される。
【００２６】
図２は、画像形成装置１の電気的構成を示したブロック図である。画像形成装置１は、上述の画像読取部３及び画像形成部４などの他、例えばＣＰＵ３１、フラッシュＲＯＭ３２、ＳＤＲＡＭ３３、ＳＲＡＭ３４、モデム３５、ＮＣＵ３６、操作パネル３７、時計回路３８、統合チップセット３９、ＳＤＲＡＭ４０、ネットワークボード４１及び開閉センサ５０などを備えている。ＣＰＵ３１、フラッシュＲＯＭ３２、ＳＤＲＡＭ３３、ＳＲＡＭ３４、モデム３５、操作パネル３７、時計回路３８及び統合チップセット３９は、システムバス４２を介して互いにデータを伝送することができる。画像読取部３及び画像形成部４は、統合チップセット３９に接続されている。
【００２７】
ＣＰＵ（Central Processing Unit）３１は、画像形成装置１の動作を制御するための制御部として機能する。フラッシュＲＯＭ（Read-Only Memory）３２、ＳＤＲＡＭ（Synchronous Dynamic Random Access Memory）３３及びＳＲＡＭ（Static Random Access Memory）３４は、いずれもデータを記憶しておくための記憶部である。ＳＤＲＡＭ３３は、例えばＣＰＵ３１の作業領域として用いることができ、例えばフラグ３３１などが割り当てられている。ＳＲＡＭ３４は、例えば各種設定データ及びエラー情報などを記憶することができる。
【００２８】
モデム３５は、ＮＣＵ（Network Control Unit）３６を介して公衆電話網（ＰＳＴＮ：Public Switched Telephone Networks）４４に接続されている。ＮＣＵ３６は、公衆電話網４４に接続されている他の外部通信装置との間で信号を送受信することができる。
【００２９】
操作パネル３７は、ユーザが操作を行なうための操作部、及び、ユーザに対して表示を行うための表示部を構成しており、例えば操作キー３７１及びＬＣＤ（Liquid Crystal Display）３７２などを備えている。ユーザは、操作キー３７１を操作することにより、画像形成装置１の動作の設定及び指示などを行なうことができる。ＬＣＤ３７２には、画像形成装置１の動作状況及び設定内容などを表示することができる。ただし、ＬＣＤ３７２がタッチパネルを含む構成であれば、ＬＣＤ３７２に対する操作により、画像形成装置１の動作の設定及び指示などを行なうこともできる。
【００３０】
時計回路３８は、計時を行なうためのタイマ部であり、例えばＲＴＣ（Real Time Clock）などにより構成することができる。統合チップセット３９は、複数の集積回路を組み合わせることにより構成されている。ＳＤＲＡＭ（Synchronous Dynamic Random Access Memory）４０は、統合チップセット３９を介してデータが入出力される記憶部である。
【００３１】
ネットワークボード４１は、ローカルバス４３を介して統合チップセット３９との間でデータを伝送することができる。ネットワークボード４１はＬＡＮ（Local Area Network）４５に接続されており、当該ネットワークボード４１を介して、ＬＡＮ４５に接続されている他の外部通信装置との間でネットワーク通信を行なうことができる。
【００３２】
開閉センサ５０は、例えば筺体１ａ又は開閉カバー１０に設けられ、開閉カバー１０の開閉状態を検知する。この開閉センサ５０は、例えば開閉カバー１０の開閉に伴い機械的に動作するスイッチなどにより構成されてもよいし、開閉カバー１０に向けて照射した光の反射光を受光するか否かに基づいて開閉を検知する光反射型センサなどにより構成されてもよい。開閉センサ５０としては、開閉カバー１０の開閉状態を検知することができるような各種構成を採用することができる。
【００３３】
図３は、ＣＰＵ３１の具体的構成を示した機能ブロック図である。本実施形態における画像形成装置１のＣＰＵ３１は、例えば原稿判定部５１、読取判定部５２及び電力切替部５３として機能する。
【００３４】
原稿判定部５１は、セット位置に原稿が置かれているか否かを判定する。また、読取判定部５２は、セット位置に置かれている原稿の読取が行なわれたか否かを判定する。本実施形態において、タイマ部としての時計回路３８は、原稿判定部５１によりセット位置に原稿が置かれていると判断されているときに計時を行なうようになっている。本実施形態では、原稿のセット位置がガラス板３ｄ上に設定されているが、このような構成に限らず、例えば原稿搬送装置２の原稿トレイ２ａ上などの他、あらゆる位置に原稿のセット位置を設定することができる。
【００３５】
読取判定部５２は、例えば画像読取部３からの入力信号に基づいて、画像読取部３の動作状態を確認することにより、セット位置に置かれている原稿の読取が行なわれたか否かを判定することができる。ただし、読取判定部５２による判定は、上記のような構成に限らず、他の各種構成によって行なうことも可能である。
【００３６】
原稿判定部５１は、例えば開閉センサ５０からの入力信号及び読取判定部５２による判定結果に基づいて、セット位置に原稿が置かれているか否かを判定することができる。具体的には、セット位置に置かれている原稿の読取後に、開閉センサ５０により開閉カバー１０の開状態が検知されるか否かに基づいて、セット位置に原稿が置かれているか否かを判定することができる。すなわち、原稿の読取後に開閉カバー１０が開かれた場合には、セット位置に置かれている原稿が取り除かれたと判断することができる。ただし、原稿判定部５１による判定は、上記のような構成に限らず、他の各種構成によって行なうことも可能である。
【００３７】
電力切替部５３は、画像形成装置１内の各部の電力状態を切り替える。この電力切替部５３の機能により、本実施形態における画像形成装置１は、電力状態を省エネルギーモードに切り替えることができる。本実施形態では、省エネルギーモードとして、待機モードよりも消費電力が少ない第１省エネルギーモードと、第１省エネルギーモードよりも消費電力が少ない第２省エネルギーモードの２種類が設定されている。
【００３８】
第１省エネルギーモードでは、例えば画像読取部３及び画像形成部４への電力供給が停止される。第２省エネルギーモードでは、例えば画像読取部３及び画像形成部４に加えて、モデム３５、操作パネル３７、統合チップセット３９及びＳＤＲＡＭ４０への電力供給が停止される。さらに、第２省エネルギーモードでは、ＣＰＵ３１、フラッシュＲＯＭ３２、ＳＤＲＡＭ３３、ＮＣＵ３６及びネットワークボード４１の消費電力が待機モードよりも低減される。なお、ＳＲＡＭ３４及び時計回路３８については、第１省エネルギーモード及び第２省エネルギーモードのいずれにおいても、待機モードと同様の消費電力のまま維持されるようになっている。
【００３９】
ただし、省エネルギーモードは、本実施形態のように２種類が設定された構成に限らず、１種類のみ設定された構成であってもよいし、３種類以上が設定された構成であってもよい。いずれの場合においても、相対的に消費電力が多いモード（待機モードを含む。）と消費電力が少ないモードとが設けられていれば、その消費電力が少ないモードを省エネルギーモードとして本発明を適用することができる。
【００４０】
電力切替部５３は、原稿判定部５１による判定結果、読取判定部５２による判定結果、及び、時計回路３８による計時結果に基づいて、画像形成装置１の電力状態を待機モードから第１省エネルギーモードに切り替える。具体的には、セット位置に置かれている原稿の読取後に、所定時間が経過してもセット位置に原稿が置かれていると判断される場合に、画像形成装置１の電力状態が切り替えられる。すなわち、本実施形態では、セット位置に置かれている原稿の読取後に、所定時間が経過しても開閉センサ５０により開閉カバー１０の開状態が検知されない場合に、画像形成装置１の電力状態が切り替えられるようになっている。
【００４１】
したがって、原稿の読取後に当該原稿をユーザが取り忘れた場合であっても、計時結果に基づいて画像形成装置１の電力状態が第１省エネルギーモードに切り替えられることにより、ユーザが原稿の取り忘れに気付くまでの間、無駄な電力を消費するのを防止することができる。特に、開閉センサ５０からの入力信号に基づいて、セット位置に原稿が置かれているか否かを簡単な構成で判定することができ、その判定結果に基づいて画像形成装置１の電力状態を第１省エネルギーモードに良好に切り替えることができる。
【００４２】
また、本実施形態では、電力切替部５３は、セット位置に置かれている原稿の読取後に、原稿判定部５１によりセット位置に置かれている原稿が取り除かれたと判断される場合に、画像形成装置１の電力状態を第１省エネルギーモードに切り替えるようになっている。これにより、セット位置に置かれている原稿の読取後に、セット位置に置かれている原稿が取り除かれたと判断される場合には、所定時間が経過する前であっても画像形成装置１の電力状態が第１省エネルギーモードに切り替えられる。したがって、セット位置に置かれている原稿が取り除かれた後に無駄な電力を消費するのを防止することができる。
【００４３】
さらに、本実施形態では、電力切替部５３は、原稿判定部５１によりセット位置に原稿が置かれていると判断される場合であっても、当該セット位置に置かれている原稿の読取が行なわれない場合には、画像形成装置１の電力状態を第１省エネルギーモードに切り替えない。これにより、セット位置に原稿が置かれていると判断される場合であっても、当該原稿の読取前には、第１省エネルギーモードに切り替えられることがない。したがって、これから原稿の読取を行なおうとしているときに、誤って第１省エネルギーモードに切り替えられるのを防止することができる。
【００４４】
図４は、画像形成装置１の電力状態を待機モードから第１省エネルギーモードに切り替える際のＣＰＵ３１による処理の一例を示したフローチャートである。本実施形態では、ＳＤＲＡＭ３３に割り当てられたフラグ３３１が、読取後の原稿をセット位置から取り忘れていないかどうかを表すための「原稿忘れフラグ」として機能する。
【００４５】
ＣＰＵ３１は、第１省エネルギーモードへの移行を要求する信号（移行要求信号）として、画像形成装置１の動作又は画像形成装置１に対する操作が所定時間行なわれていない場合などに入力される信号の有無を監視している（ステップＳ１０１）。そして、移行要求信号が入力された場合には（ステップＳ１０１でＹｅｓ）、セット位置に原稿が置かれているか否かが判定される（ステップＳ１０２）。例えば、読取判定部５２による判定結果及び開閉センサ５０からの入力信号に基づいて、原稿の読取後に開閉カバー１０が開かれたと判断される場合には、原稿は取り除かれてセット位置に置かれていないと判定することができる。
【００４６】
セット位置に原稿が置かれていないと判定される場合には（ステップＳ１０２でＮｏ）、画像形成装置１の電力状態が待機モードから第１省エネルギーモードに切り替えられる（ステップＳ１０４）。一方、セット位置に原稿が置かれていると判断される場合には、フラグ３３１に「１」がセットされているか否かを判定することにより、その原稿が読取後に取り忘れられたものであるか否かが判定される（ステップＳ１０３）。
【００４７】
フラグ３３１に「１」がセットされている場合には（ステップＳ１０３でＹｅｓ）、画像形成装置１の電力状態が待機モードから第１省エネルギーモードに切り替えられる（ステップＳ１０４）。一方、フラグ３３１に「１」がセットされていない場合には（ステップＳ１０３でＮｏ）、引き続き移行要求信号の入力の有無が監視される（ステップＳ１０１）。
【００４８】
図５は、原稿の取り忘れを判定する際のＣＰＵ３１による処理の一例を示したフローチャートである。まず、フラグ３３１がクリアされ（ステップＳ２０１）、原稿の読取が完了するか否かが監視される（ステップＳ２０２）。これにより、セット位置に置かれている原稿の読取が行なわれない場合には（ステップＳ２０２でＮｏ）、フラグ３３１に「１」がセットされることがないので（図４のステップＳ１０３でＮｏ）、画像形成装置１の電力状態が第１省エネルギーモードに切り替えられない。
【００４９】
原稿の読取が完了した場合には（ステップＳ２０２でＹｅｓ）、所定時間が経過するまでに開閉カバー１０が開かれるか否かが監視される（ステップＳ２０３及びＳ２０４）。開閉センサ５０からの入力信号に基づいて、所定時間が経過するまでに開閉カバー１０が開かれたと判断される場合には（ステップＳ２０３でＹｅｓ）、フラグ３３１がクリアされる（ステップＳ２０１）。この場合には、原稿が読取後にセット位置から取り除かれたと判断され（図４のステップＳ１０２でＮｏ）、その時点で画像形成装置１の電力状態が待機モードから第１省エネルギーモードに切り替えられる（ステップＳ１０４）。
【００５０】
一方、開閉センサ５０からの入力信号がないまま所定時間が経過した場合には（ステップＳ２０４でＹｅｓ）、原稿の取り忘れと判断され、その時点でフラグ３３１に「１」がセットされる（ステップＳ２０５）。このように、セット位置に原稿が置かれた状態でフラグ３３１に「１」がセットされた場合には（図４のステップＳ１０３でＹｅｓ）、画像形成装置１の電力状態が待機モードから第１省エネルギーモードに切り替えられる（ステップＳ１０４）。
【００５１】
フラグ３３１に「１」がセットされた後は、開閉センサ５０からの入力信号に基づいて、開閉カバー１０が開かれるか否かが監視される（ステップＳ２０６）。そして、開閉カバー１０が開かれた場合には（ステップＳ２０６でＹｅｓ）、フラグ３３１がクリアされる（ステップＳ２０１）。
【符号の説明】
【００５２】
１    画像形成装置
３    画像読取部
４    画像形成部
１０    開閉カバー
３１    ＣＰＵ
３８    時計回路
５０    開閉センサ
５１    原稿判定部
５２    読取判定部
５３    電力切替部
３３１    フラグ
【図１】
2012138805.tif 000003
【図２】
2012138805.tif 000004
【図３】
2012138805.tif 000005
【図４】
2012138805.tif 000006
【図５】
2012138805.tif 000007